(57)【要約】【課題】自然光照明器と人工照明器とによる照明の照度を照度センサーで検出しながら照明を経済的に制御する屋内照明装置に関する。【解決手段】第１ハウジング部Ｈ１の上部に設けられて太陽光を室内に採り入れるための自然光照明器４と、第２ハウジング部Ｈ２に設けられて前記自然光照明器４を中心にした周方向に沿って略等間隔に配置された複数のＬＥＤなどの人工照明器５と、前記第１ハウジング部Ｈ１の下部に設けられて、前記自然光照明器４および人工照明器５からの照明の照度を検出する照度センサーＳと、該照度センサーＳの検出値に基づいて前記人工照明器５の照明を制御するコントローラ８とを設けている。【選択図】図１
2013186947.tif 000002
【特許請求の範囲】
【請求項１】
採光部に設けられて採光部から太陽光を採光し、室内に照射しうる第１ハウジング部と、該第１ハウジング部の外周に沿って設けられ採光部から太陽光を採光せずに室内に照射しうる第２ハウジング部とを有する屋内照明装置であって、
第１ハウジング部の上部に設けられて太陽光を室内に採り入れるための自然光照明器と、
第２ハウジング部に設けられて前記自然光照明器を中心にした周方向に沿って略等間隔に配置された複数のＬＥＤなどの人工照明器と、
前記第１ハウジング部の下部に設けられて、前記自然光照明器または自然光照明器および人工照明器からの照明の照度を検出する照度センサーと、
該照度センサーの検出値に基づいて前記人工照明器の照明を制御するコントローラとを設けてなることを特徴とする屋内照明装置。
【請求項２】
第１ハウジング部の下部で、自然光照明器から照射される自然光を調光する絞り装置が設けられると共に、
コントローラが、照度センサーの検出値に基づいて絞り装置の調光を多段階又は無段階に制御しうることを特徴とする請求項１に記載の屋内照明装置。
【請求項３】
採光部がトップライトからなっており、第１ハウジング部の自然光照明器上を覆っていることを特徴とする請求項１または２に記載の屋内照明装置。。
【発明の詳細な説明】
【技術分野】
【０００１】
本発明は、自然光照明器と人工照明器とによる照明の照度を照度センサーで検出しながら照明を制御する屋内照明装置に関するものである。
【背景技術】
【０００２】
従来、特開２０１０−１６０９７５号の屋内照明装置として、自然光を屋内に採光する昼光照明器と、前記昼光照明器に隣接設置した自然光照度センサーと、屋内に設置した人工照明器と、前記自然光照度センサーの検出結果に基づいて前記人工照明器を制御する人工照明制御装置とを備え、前記自然光照度センサーの受光面は前記昼光照明器の自然光入射面と平行に配置し、それぞれセンサーは屋内側・屋外側に設置する構成が開示されている。
しかし、上記構成では、自然光照度センサーの配置場所について特定していないので、周囲の住宅環境によって配置が変わってしまう。
また、昼光照明器に照度調整機構がないため、太陽の動きと天候により絶えず照度が変動してしまう。
更に、夜間においては照明器から屋外に光が洩れるという不具合があった。
また、自然光照明器と屋内照明器との連動はＯＮ・ＯＦＦと強度調節とが設けられているが無段階の調節ができない、などの不具合があった。
【先行技術文献】
【特許文献】
【０００３】
【特許文献１】特開２０１０−１６０９７５
【発明の概要】
【発明が解決しようとする課題】
【０００４】
この発明は、上記事情に鑑みて創案されたものであって、解決しようとする問題点は、
本発明の屋内照明装置は、採光部から太陽光を第１ハウジング部の自然光照明器を介して室内に採り入れることができる。
照度センサーは自然光照明器の下方に設けるので、測定値にばらつきが生じない。
また、照度センサーの近傍に自然光を調光する絞り装置を設けることで、室内に採光される自然光をきめ細かく調光した自然光照明とすることができる。
また、自然光照明器による自然光照明と人工照明器による人工照明とを連動して最適の照明を得ることができる。
【課題を解決するための手段】
【０００５】
上記課題を解決するために、請求項１の発明では、
採光部に設けられて採光部から太陽光を採光し、室内に照射しうる第１ハウジング部と、該第１ハウジング部の外周に沿って設けられ採光部から太陽光を採光せずに室内に照射しうる第２ハウジング部とを有する屋内照明装置であって、
第１ハウジング部の上部に設けられて太陽光を室内に採り入れるための自然光照明器と、
第２ハウジング部に設けられて前記自然光照明器を中心にした周方向に沿って略等間隔に配置された複数のＬＥＤなどの人工照明器と、
前記第１ハウジング部の下部に設けられて、前記自然光照明器または自然光照明器および人工照明器からの照明の照度を検出する照度センサーと、
該照度センサーの検出値に基づいて前記人工照明器の照明を制御するコントローラとを設けてなることを特徴とする。
請求項２の発明では、第１ハウジング部の下部で、自然光照明器から照射される自然光を調光する絞り装置が設けられると共に、
コントローラが、照度センサーの検出値に基づいて絞り装置の調光を多段階又は無段階に制御しうることを特徴とする。
請求項３の発明では、採光部がトップライトからなっており、第１ハウジング部の自然光照明器上を覆っていることを特徴とする。
【発明の効果】
【０００６】
本発明の屋内照明装置は、採光部から太陽光を第１ハウジング部の自然光照明器を介して室内に採り入れることができる。
照度センサーは自然光照明器の下方の中心部に設けるので、測定値にばらつきが生じない。
また、照度センサーの近傍に自然光を調光する絞り装置を設けることで、室内に採光される自然光をきめ細かく調光した自然光照明とすることができる。
また、自然光照明器による自然光照明と人工照明器による人工照明とを連動して最適の照明を得ることができる。
【図面の簡単な説明】
【０００７】
【図１】実施例１の屋内照明装置の断面図である。
【図２】同平面図である。
【図３】コントローラの制御を示すブロック図である。
【図４】実施例２の屋内照明装置の断面図である。
【図５】コントローラの制御を示すブロック図である。
【図６】トップライトに組み込んだ屋内照明装置の概略図である。
【発明を実施するための形態】
【０００８】
ハウジング部内に、自然光照明器とその外周に人工照明器とを設けると共に、前記照明器の照度を検出する照度センサーの検出値に基づいてコントローラで前記自然光照明器およびまたは人工照明器の照明を制御することで、無駄のない最適な照明を実現した。
【実施例１】
【０００９】
以下に、この発明の屋内照明装置１の好適実施例について図面を参照しながら説明する。
図１から図３は、実施例１の屋内照明装置１を示す図面であって、建造物２の屋根等に設けられた各種窓や光採り込み用の開口などの採光部３から太陽光を採光し、室内に照射しうる第１ハウジング部Ｈ１と、該第１ハウジング部Ｈ１の外周に沿って設けられ採光部３から太陽光を採光せずに人工照明器５を用いて室内を照明しうる第２ハウジング部Ｈ２とを有している。
【００１０】
第１ハウジング部Ｈ１は、図示例の場合、透明で略筒状に形成されており、その上部に太陽光を室内に採り入れるための自然光照明器４が設けられている。
該自然光照明器４は、採光部３からの太陽光を通す単なる開口や透明ガラス、あるいは太陽光を集光するレンズやプリズム、ミラー等を用いた反射板などを用いることができる。
【００１１】
そして、自然光照明器４は太陽光はそのまま採り入れるものであっても、あるいは集光した太陽光を一定位置に照射させるものでもよい。
例えば、太陽の位置が移動しても一定の領域を自然光で照らし続けることができるように第１ハウジング部Ｈ１内に指向性光ダクトを設けてもよい。
このように種々方法で採り入れられた太陽光は、第１ハウジングの底部に向かって照射させ、後述の照射センサーＳにより照度を測定しうるものであればよい。
【００１２】
第２ハウジング部Ｈ２は、第１ハウジング部Ｈ１の外周に沿って環状に形成されている。
そして、第２ハウジング部Ｈ２内には、ＬＥＤや白熱灯などの人工照明器５が、前記自然光照明器４を中心にした周方向に沿って略等間隔に複数配置されている。
【００１３】
人工照明器５の配列方法は、特に限定されないが、均等に配置することが好ましい。
図示例で、第２ハウジング部Ｈ２は、第１ハウジング部Ｈ１と上端を同じ位置に設定しており、高さは短く設定されている(図２参照）。
【００１４】
前記第２ハウジング部Ｈ２は、採光部３からずれた位置に設けることが好ましいが、採光部３内に設けられる場合には、採光部３側の頂面を光を遮断する色彩や素材で形成しておけばよい。
一方、第１ハウジング部Ｈ１の外周面と接する第２ハウジング部Ｈ２の内周面は透明とし、もしくは両者間に仕切を設けず、即ち、第１ハウジング部Ｈ１の外周壁面と第２ハウジング部Ｈ２の内周壁面とを設けずに、どちらの照明も遮らない構成としてもよい。
【００１５】
第２ハウジング部Ｈ２の外周壁面は設けても、設けなくてもよく、設けた場合も透明、非透明のいずれでもよい。
更に、第１ハウジング部Ｈ１及び第２ハウジング部Ｈ２の底壁面は、一部又は全部設けても設けなくてもよく、設けた場合は透明となる。
【００１６】
前記第１ハウジング部Ｈ１の下部には、前記自然光照明器４および人工照明器５からの照明の照度を検出する照度センサーＳが設けられている(図１参照）。
図示例では、自然光照明器４及び第１ハウジング部Ｈ１の中心の真下の離間位置に配置されており、前記自然光照明器４および人工照明器５からの照明の照度を検出することができるようになっている。
【００１７】
前記照度センサーＳは、前記人工照明器５の照明の照度を制御するコントローラ８と接続されている。
このコントローラ８は、人工照明器５のアクチュエータ５Ａを介して、複数有る人工照明器５の点灯のＯＮ−ＯＦＦを個別に制御することで照度を制御したり、各人工照明器５の照度を制御することができる。
【００１８】
従って、前記照度センサーＳの検出値はコントローラ８に入力され、予め設定してる基準値と比較し、アクチュエータ５Ａを介して人工照明器５の照明を制御して室内に照射される自然光照明器４および人工照明器５からの照明の照度を経済上最適に制御することができる(図３参照）。
この場合、人工照明器５に調光可能なＬＥＤを用いれば、照度の制御を容易に行うことができる。
【実施例２】
【００１９】
図４には、実施例２の屋内照明装置１を示す。
この屋内照明装置１では、第１ハウジング部Ｈ１の下部で、自然光照明器４の真下位置には、自然光照明器４から照射される自然光を調光する絞り装置６が設けられている。
【００２０】
また、絞り装置６の下方には、照度センサーＳが設けられている。
絞り装置６は、自動又は手動により調整することができるが、自動で調整できる場合にはその自動制御用のアクチュエータ６Ａをコントローラ８に接続して制御できるようにしておくことが好ましい。
【００２１】
この場合、コントローラ８は、照度センサーＳの測定値を基に、人工照明器５はそのアクチュエータ５Ａを介して照度を制御し、自然光照明器４は絞り装置６のアクチュエータ６Ａを介して照度を制御することができる。
【００２２】
即ち、自然光照明器４から照射される自然光の照度の測定値が照度センサーＳによってコントローラ８に入力され、基準値を超えると判断された場合に、コントローラ８はアクチュエータ６Ａを制御して絞り装置６を作動させ、照度センサーＳで照度をフィードバックしながら自然光の照度を基準値まで下げることができる（図５参照）。
【００２３】
照度を下げる場合、アクチュエータ６Ａは、絞り装置を作動させて、段階的、または無段階に絞りを行うことができる。
その他の構成は、前記実施例１と同様であるので、同一構成には同一符号を付して、その説明を省略する。
【００２４】
この発明で採光部は、建物のトップライトであってもよく、例えば、トップライトに屋内照明装置の全部、または第１ハウジング部が組み込まれた構成であってもよい(図６参照）。
また、第１ハウジング部と第２ハウジング部とは別体でも一体であってもよい。
【００２５】
更に、前記照度センサーは自然光照明器からの照明の照度を検出するだけであってもよい(図３の実線参照）。
その場合、照度センサーは、前記人工照明器の照明の照度を制御するコントローラと接続されており、太陽光が基準の照度に満たない場合に人工照明器の照明を制御するだけの構成でもよい。
その他、要するにこの発明の要旨を変更しない範囲で種々設計変更しうること勿論である。
【符号の説明】
【００２６】
１    屋内照明装置
２    建造物
３    採光部
４    自然光照明器
５    人工照明器
５Ａ  アクチュエータ
６    絞り装置
６Ａ  アクチュエータ
８    コントローラ
Ｈ１  第１ハウジング部
Ｈ２  第２ハウジング部
Ｓ    照度センサー
【図１】
2013186947.tif 000003
【図２】
2013186947.tif 000004
【図３】
2013186947.tif 000005
【図４】
2013186947.tif 000006
【図５】
2013186947.tif 000007
【図６】
2013186947.tif 000008